(57)【特許請求の範囲】
【請求項１】
四周枠組みした骨材の見付け面を表面材によって覆うことにより構成した子扉を親扉とともに互いに戸先を対向させた状態で枠体に開閉可能に配設し、
前記枠体の水平方向に沿った横枠には前記子扉の見付け面に対向する部位に長手に沿って横タイト材が配設してあり、かつ前記子扉の戸先に配置する骨材の端部にはキャップ部材が装着してあり、
前記キャップ部材の室内に臨む見付け面及び前記表面材の室内に臨む見付け面を介して前記子扉を前記横タイト材に当接させるようにした建具において、
前記子扉には、前記戸先に配置する骨材の端部に切欠を設けるとともに、前記表面材において前記骨材の切欠に対応する部分に切欠を設けることによって前記横タイト材に対向する見付け面に開口するように収容部が形成され、
前記収容部に前記キャップ部材の室内に臨む部分が収容されていることを特徴とする建具。
【請求項２】
前記キャップ部材は、前記横枠よりも内周側に位置する部分に前記子扉の前記表面材よりも室内側に突出する保持部を有し、前記親扉の室内に臨む見付け面に当接する止水部材を前記保持部に保持させたことを特徴とする請求項１に記載の建具。
【請求項３】
前記横タイト材は、前記横枠の外周側にメインタイト部を有するとともに、内周側にサブタイト部を有したものであり、
前記保持部は、前記横タイト材のメインタイト部よりも内周側となる部位において前記止水部材を保持するものであり、
前記保持部よりも外周側となる位置において前記メインタイト部を前記キャップ部材の室内に臨む見付け面、前記表面材の室内に臨む見付け面及び前記止水部材の室内に臨む見付け面に当接させ、かつ前記保持部に対応する部位に前記サブタイト部を当接させることを特徴とする請求項２に記載の建具。
【請求項４】
前記子扉の少なくとも戸先に配置する骨材を樹脂によって成形したことを特徴とする
請求項１に記載の建具。
【発明の詳細な説明】
【技術分野】
【０００１】
本発明は、枠体に親扉及び子扉を開閉可能に配設した建具に関するものである。
【背景技術】
【０００２】
玄関に設けられる建具には、枠体に親扉及び子扉を備えて構成されたものがある。親扉及び子扉は、互いに戸先を対向させた状態でそれぞれ室外側に開くように枠体に開閉可能に支持されている。この建具によれば、親扉を開いた状態でさらに子扉を開くことで、玄関の間口を一時的に拡大することができるようになる。
【０００３】
この種の建具では、子扉に内方カバー部が設けられている。内方カバー部は、子扉の戸先から室内側に突出した後、親扉に向かう方向に屈曲して延在するもので、親扉及び子扉が互いに戸先を対向させた際に親扉との隙間を覆うように配設される。この内方カバー部には、親扉との間に介在するように親扉タイト材が設けられている。一方、上枠及び下枠には、子扉の見付け面に対向する部位に長手に沿って横タイト材が設けられている。
【０００４】
ここで、内方カバー部は、表面材よりも室内側に突出した構成となるため、上枠及び下枠と干渉することがないように上枠の下端よりも下方において終端し、かつ下枠の上端よりも上方において終端するように構成されている。従って、内方カバー部に設けた親扉タイト材と上枠及び下枠に設けた横タイト材とを直接連続させることが困難である。このため従来では、子扉の戸先において上下両端となる部位にそれぞれキャップ部材を装着するとともに、キャップ部材に親扉の見付け面に当接する止水部材を配設し、止水部材を介して親扉タイト材と横タイト材との間を連続させるようにしている。
【０００５】
しかしながら、子扉にキャップ部材を装着した場合には、表面材よりもキャップ部材が突出して段差となるため、上枠及び下枠に設けた横タイト材との間に隙間が生じるおそれがある。こうした問題を解決する方法として従来では、特許文献１に記載のものが提供されている。すなわち、特許文献１では、横タイト材に凹部を形成するとともに、子扉の戸先下端部に横タイト材の凹部側面に圧着されるようにキャップ部材及び止水部材を配設することにより、横タイト材との間に隙間が生じないようにしている。
【先行技術文献】
【特許文献】
【０００６】
【特許文献１】特開２０００−９６９４５号公報
【発明の概要】
【発明が解決しようとする課題】
【０００７】
特許文献１のものにあっては、横タイト材を複数の部材によって構成しているため、取り扱い部品点数が増えることになり、必ずしも好ましいとはいえない。
【０００８】
本発明は、上記実情に鑑みて、取り扱い部品点数を増やすことなく親扉と子扉との召し合わせ部の水密性を向上することのできる建具を提供することを目的とする。
【課題を解決するための手段】
【０００９】
上記目的を達成するため、本発明に係る建具は、四周枠組みした骨材の見付け面を表面材によって覆うことにより構成した子扉を親扉とともに互いに戸先を対向させた状態で枠体に開閉可能に配設し、前記枠体の水平方向に沿った横枠には前記子扉の見付け面に対向する部位に長手に沿って横タイト材が配設してあり、かつ前記子扉の戸先に配置する骨材の端部にはキャップ部材が装着してあり、前記キャップ部材の室内に臨む見付け面及び前記表面材の室内に臨む見付け面を介して前記子扉を前記横タイト材に当接させるようにした建具において、前記子扉には、前記戸先に配置する骨材の端部に切欠を設けるとともに、前記表面材において前記骨材の切欠に対応する部分に切欠を設けることによって前記横タイト材に対向する見付け面に開口するように収容部が形成され、前記収容部に前記キャップ部材の室内に臨む部分が収容されていることを特徴とする。
【００１０】
この発明によれば、子扉の骨材及び表面材に収容部を設けてキャップ部材を配設しているため、表面材に対してキャップの突出量を減らしたり、同一面上となるように設定することができ、横枠のタイト材に何ら加工を施すことなく子扉の見付け面に隙間なく当接させることが可能となる。
【００１１】
また本発明は、上述した建具において、前記キャップ部材は、前記横枠よりも内周側に位置する部分に前記子扉の前記表面材よりも室内側に突出する保持部を有し、前記親扉の室内に臨む見付け面に当接する止水部材を前記保持部に保持させたことを特徴とする。
【００１２】
この発明によれば、親扉の室内に臨む見付け面と子扉の室内に臨む見付け面とに段差を生じることなくキャップ部材に止水部材を保持させることができ、止水部材によって親扉の室内に臨む見付け面とキャップ部材との間の止水性が確保される。
【００１３】
また本発明は、上述した建具において、前記横タイト材は、前記横枠の外周側にメインタイト部を有するとともに、内周側にサブタイト部を有したものであり、前記保持部は、前記横タイト材のメインタイト部よりも内周側となる部位において前記止水部材を保持するものであり、前記保持部よりも外周側となる位置において前記メインタイト部を前記キャップ部材の室内に臨む見付け面、前記表面材の室内に臨む見付け面及び前記止水部材の室内に臨む見付け面に当接させ、かつ前記保持部に対応する部位に前記サブタイト部を当接させることを特徴とする。
【００１４】
この発明によれば、横タイト材のメインタイト部に対向する部分については表面材に対してキャップ部材の突出量を減らしたり、同一の面上となるように設定することができるため、横タイト材のメインタイト部との間に隙間が生じることもない。さらに、保持部に対しては横タイト材のサブタイト部を当接させるようにしているため、水密性を向上することができる。
【００１５】
また本発明は、上述した建具において、前記子扉の少なくとも戸先に配置する骨材を樹脂によって成形したことを特徴とする。
【００１６】
この発明によれば、樹脂によって骨材を成形することにより加工性が向上することになり、収容部を設ける作業を容易化することができる。
【発明の効果】
【００１７】
本発明によれば、子扉の骨材及び表面材に収容部を設けてキャップ部材を配設しているため、表面材に対してキャップの突出量を減らしたり、同一の面上となるように設定することができ、横枠のタイト材に何ら加工を施すことなく子扉の見付け面に隙間なく当接させることが可能となる。
【図面の簡単な説明】
【００１８】
【図１】図１は、本発明の実施の形態である建具を示すもので、親扉部分の縦断面図である。
【図２】図２は、図１に示した建具の子扉部分を示す縦断面図である。
【図３】図３は、図２におけるＸ−Ｘ線断面図である。
【図４】図４は、図３において親扉を開いた状態の横断面図である。
【図５】図５は、図２に示した子扉の戸先に配置する骨材を上方から見た拡大図である。
【図６】図６は、図２に示した子扉の戸先に配置する骨材の下端部分を示す拡大横断面図である。
【図７】図７は、図２に示した子扉の戸先に配置するキャップ部材を上方から見た拡大図である。
【図８】図８は、図２に示した子扉の戸先下端部を示す拡大縦断面図である。
【図９】図９は、図２におけるＹ−Ｙ線要部断面図である。
【図１０】図１０は、図２におけるＺ−Ｚ線要部断面図である。
【図１１】図１１は、図２に示した子扉を室内の斜め下方側から見たもので、（ａ）は要部斜視図、（ｂ）は要部分解斜視図である。
【図１２】図１２は、図２に示した子扉を室内の斜め上方側から見たもので、（ａ）は要部斜視図、（ｂ）は要部分解斜視図である。
【発明を実施するための形態】
【００１９】
以下、添付図面を参照しながら本発明に係る建具の好適な実施の形態について詳細に説明する。
図１〜図４は、本発明の実施の形態である建具を示したものである。ここで例示する建具は、家屋の玄関に用いられるもので、枠体１０と、枠体１０に支持させた親扉２０及び子扉３０とを備えて構成してある。親扉２０及び子扉３０は、互いに戸先を対向させた状態でヒンジ（図示せず）を介して開閉可能に支持したもので、それぞれ戸先を室外側に突出するように開くことが可能である。図には明示していないが、本実施の形態で適用する親扉２０及び子扉３０は、上下方向に沿った寸法及び見込み方向に沿った寸法が互いにほぼ等しく構成してあり、左右方向に沿った寸法についてのみ親扉２０が大きく構成してある。
【００２０】
枠体１０は、上枠１１、下枠１２及び左右の縦枠１３を四周枠組みすることによって構成したものである。上枠１１、下枠１２及び左右の縦枠１３は、アルミニウム合金等の金属によって押し出し成形した２つの金属枠材１１Ａ，１２Ａ，１３Ａ、１１Ｂ，１２Ｂ，１３Ｂと、断熱性材料によって成形した連結部材１１Ｃ，１２Ｃ，１３Ｃとを備え、見込み方向に沿って並設した２つの金属枠材１１Ａ，１２Ａ，１３Ａ、１１Ｂ，１２Ｂ，１３Ｂの間を連結部材１１Ｃ，１２Ｃ，１３Ｃによって連結したものである。
【００２１】
ここで、見込み方向とは、図１中の矢印Ａで示すように、建具の奥行きに沿った方向のことである。見込み方向に沿った平面については見込み面と称する場合がある。また、見付け方向とは、上枠１１や下枠１２のように水平に沿った部材の場合、見込み方向に直交した上下に沿う方向であり、縦枠１３のように上下に沿った部材の場合、見込み方向に直交した水平に沿う方向である。見付け方向に沿った平面については見付け面と称する場合がある。
【００２２】
それぞれの枠１１，１２，１３には、室内側に配置される金属枠材（以下、区別する場合に内方枠材１１Ｂ，１２Ｂ，１３Ｂという）に保持ヒレ部１１Ｂ１，１２Ｂ１，１３Ｂ１が設けてある。保持ヒレ部１１Ｂ１，１２Ｂ１，１３Ｂ１は、それぞれの枠１１，１２，１３において内周側の見込み面から見付け方向に沿って内周側に突出した部分である。保持ヒレ部１１Ｂ１，１２Ｂ１，１３Ｂ１には、それぞれ室外に臨む見付け面にタイト材１１Ｄ，１２Ｄ，１３Ｄが装着してある。上枠１１及び下枠１２の保持ヒレ部１１Ｂ１，１２Ｂ１に装着した左右方向に沿うタイト材（以下、区別する場合に横タイト材１１Ｄ，１２Ｄという）は、図１及び図２に示すように、基部１１Ｄａ，１２Ｄａの先端にメインタイト部１１Ｄｂ，１２Ｄｂ及びサブタイト部１１Ｄｃ，１２Ｄｃを有したもので、メインタイト部１１Ｄｂ，１２Ｄｂ及びサブタイト部１１Ｄｃ，１２Ｄｃが室外に臨み、かつサブタイト部１１Ｄｃ，１２Ｄｃが内周側となる姿勢で基部１１Ｄａ，１２Ｄａを介して保持ヒレ部１１Ｂ１，１２Ｂ１に装着してある。縦枠１３の保持ヒレ部１３Ｂ１に装着した上下方向に沿うタイト材（以下、区別する場合に縦タイト材１３Ｄという）は、図３及び図４に示すように、基部１３Ｄａの先端にメインタイト部１３Ｄｂを有したもので、メインタイト部１３Ｄｂが室外に臨む姿勢で基部１３Ｄａを介して保持ヒレ部１３Ｂ１に装着してある。
【００２３】
親扉２０は、図１〜図４に示すように、四周枠組みした骨材２１の見付け面に表面材２２を配設することによって構成したものである。親扉２０の大きさは、上縁部の見付け面及び下縁部の見付け面がそれぞれ横タイト材１１Ｄ，１２Ｄに当接し、かつ吊り元側の見付け面が縦タイト材１３Ｄに当接することのできる寸法に設定してある。骨材２１は、四周でほぼ同じ構成を有したもので、硬質ＰＶＣ（ｐｏｌｙ  ｖｉｎｙｌ  ｃｈｌｏｒｉｄｅ）等の硬質樹脂によって押し出し成形した樹脂骨材２１Ａと、スチール等の金属によって押し出し成形した金属骨材２１Ｂとを備えている。樹脂骨材２１Ａは、親扉２０の見込み方向に沿った寸法にほぼ等しい長さを有したものである。金属骨材２１Ｂは、見込み方向に沿った寸法が樹脂骨材２１Ａよりも短い長さに構成してあり、樹脂骨材２１Ａの室外側に位置する部分に配設してある。
【００２４】
表面材２２は、鋼材等の金属から成る薄板状部材によって構成したもので、骨材２１の見付け面を覆う状態で四周の折り曲げ部分を介して骨材２１に接合してある。表面材２２の相互間には、ウレタンフォーム等の断熱層材２３を介在させることが好ましい。
【００２５】
この親扉２０には、戸先及び吊り元に位置する骨材２１の見込み面にそれぞれエッジ材２４が設けてある。エッジ材２４は、骨材２１の見込み面及び表面材２２の折り曲げ部分を覆うもので、アルミニウム合金等の金属によって押し出し成形した金属エッジ材２４Ａと、硬質ＰＶＣ等の硬質樹脂によって押し出し成形した樹脂エッジ材２４Ｂとを備えている。このエッジ材２４は、金属エッジ材２４Ａを介して骨材２１に取付ネジ（図示せず）を螺合することによって親扉２０に取り付けてある。図３からも明らかなように、戸先に設けたエッジ材２４の金属エッジ材２４Ａには、外方カバー部２４Ａ１が設けてある。外方カバー部２４Ａ１は、金属エッジ材２４Ａから室外側に突出した後、子扉３０に向かう方向に屈曲して延在するもので、親扉２０及び子扉３０が互いに戸先を対向させた際に子扉３０の戸先において室外に臨む見付け面に対向して配置されるように構成してある。
【００２６】
子扉３０は、親扉２０と同様、四周枠組みした骨材３１，３２の見付け面に表面材３３を配設することによって構成したものである。子扉３０の大きさは、上縁部の見付け面及び下縁部の見付け面がそれぞれ横タイト材１１Ｄ，１２Ｄに当接し、かつ吊り元側の見付け面が縦タイト材１３Ｄに当接することのできる寸法に設定してある。子扉３０の骨材３１，３２は、戸先を除く３辺の骨材３１が親扉２０の骨材２１とほぼ同じに構成してある。すなわち、子扉３０において戸先を除く３辺の骨材３１は、硬質ＰＶＣ等の硬質樹脂によって押し出し成形した樹脂骨材３１Ａと、スチール等の金属によって押し出し成形した金属骨材３１Ｂとを備えて構成したものである。
【００２７】
これに対して子扉３０の戸先に配置する骨材（以下、区別する場合に戸先骨材３２という）は、図５及び図６に示すように、それぞれ硬質ＰＶＣ等の硬質樹脂によって押し出し成形した外殻骨部材３２Ａ及び内殻骨部材３２Ｂを備え、外殻骨部材３２Ａの内部に内殻骨部材３２Ｂを配置することによって構成してある。外殻骨部材３２Ａは、見込み方向に沿って延在する外殻基部３２Ａ１と、外殻基部３２Ａ１の室外側縁部から子扉３０の戸先側に向けてほぼ直角に屈曲した外方当接部３２Ａ２と、外殻基部３２Ａ１の室内側縁部から子扉３０の戸先側に向けてほぼ直角に屈曲した内方当接部３２Ａ３とを有したものである。内方当接部３２Ａ３には、外方当接部３２Ａ２に対向する部位に略矩形の筒状を成す角筒部３２Ａ４が構成してある。角筒部３２Ａ４には、子扉３０の戸先側に位置する外側壁部に拝フック部３２Ａ５が設けてある。拝フック部３２Ａ５は、外側壁部からほぼ直角に突出した後、室内側に向けてほぼ直角に屈曲したものである。拝フック部３２Ａ５の屈曲端部には、外側壁部に向けてわずかに屈曲した鉤部３２Ａ５ａが設けてある。
【００２８】
内殻骨部材３２Ｂは、外殻骨部材３２Ａの外殻基部３２Ａ１に沿って延在する内殻基部３２Ｂ１と、内殻基部３２Ｂ１の室内側に位置する縁部から子扉３０の戸先側に向けてほぼ直角に屈曲した筒当接部３２Ｂ２と、内殻基部３２Ｂ１の室外側に位置する縁部から室外側に向けて漸次子扉３０の戸先側となるように傾斜延在した後、外殻基部３２Ａ１の外方当接部３２Ａ２に沿って延在する支持壁部３２Ｂ３とを有したもので、外方当接部３２Ａ２と角筒部３２Ａ４との間に挿入することのできる大きさに構成してある。筒当接部３２Ｂ２及び支持壁部３２Ｂ３の延在端部には、互いに対向するように延在した対向壁部３２Ｂ４，３２Ｂ５が設けてある。支持壁部３２Ｂ３から延在した対向壁部３２Ｂ５には外側エッジフック部３２Ｂ６が設けてある。外側エッジフック部３２Ｂ６は、支持壁部３２Ｂ３から子扉３０の戸先側に向けてほぼ直角に屈曲した部分である。外側エッジフック部３２Ｂ６の屈曲端部には、室外側に向けてわずかに屈曲した外側鉤部３２Ｂ６ａが設けてある。また、筒当接部３２Ｂ２には、内側エッジフック部３２Ｂ７及びスペーサ部３２Ｂ８が設けてある。内側エッジフック部３２Ｂ７は、筒当接部３２Ｂ２の延在端部から室内側に向けてほぼ直角に屈曲して延在した後、子扉３０の戸先側に向けてほぼ直角に屈曲した部分である。内側エッジフック部３２Ｂ７の屈曲端部には、室外側に向けてわずかに屈曲した内側鉤部３２Ｂ７ａが設けてある。スペーサ部３２Ｂ８は、筒当接部３２Ｂ２において子扉３０の吊り元側に位置する部位から室内側に向けて延在し、外殻骨部材３２Ａの外殻基部３２Ａ１と角筒部３２Ａ４との間に挿入される部分である。
【００２９】
図には明示していないが、子扉３０では、戸先骨材３２と吊り元に配置する骨材３１との間に上下の骨材３１を配置した、いわゆる縦通しで四周の骨材３２，３１が連結されている。
【００３０】
子扉３０の表面材３３は、図１〜図６に示すように、親扉２０の表面材３３とほぼ同じ構成を有したものである。すなわち、表面材３３は、鋼材等の金属から成る薄板状部材によって構成したもので、外方当接部３２Ａ２の見付け面３２Ａ２ａ及び内方当接部３２Ａ３の見付け面３２Ａ３ａを覆う状態で四周の折り曲げ部分を介して骨材３１，３２に接合してある。表面材３３の相互間には、ウレタンフォーム等の断熱層材３４を介在させることが好ましい。
【００３１】
この子扉３０には、戸先及び吊り元に位置する骨材３１，３２の見込み面にそれぞれエッジ材３５，３６が設けてある。吊り元のエッジ材３５は、親扉２０の吊り元に設けたエッジ材２４と同様の構成を有したものである。すなわち、アルミニウム合金等の金属によって押し出し成形した金属エッジ材３５Ａと、硬質ＰＶＣ等の硬質樹脂によって押し出し成形した樹脂エッジ材３５Ｂとを備えている。このエッジ材３５は、金属エッジ材３５Ａを介して骨材３１に取付ネジ（図示せず）を螺合することによって子扉３０に取り付けてある。
【００３２】
一方、子扉３０の戸先に設けたエッジ材３６は、見込みエッジ材３６Ａと見付けエッジ材３６Ｂとを備えている。見込みエッジ材３６Ａ及び見付けエッジ材３６Ｂは、アルミニウム合金等の金属によって押し出し成形したものである。
【００３３】
見込みエッジ材３６Ａは、子扉３０の戸先において室外に臨む見付け面から外殻骨部材３２Ａの拝フック部３２Ａ５を覆う寸法に構成したもので、戸先骨材３２の長手に沿った全長に渡る長さを有している。見込みエッジ材３６Ａにおいて戸先骨材３２の外側エッジフック部３２Ｂ６及び内側エッジフック部３２Ｂ７に対応する部位には係合フック部３６Ａ１が設けてある。この見込みエッジ材３６Ａは、内殻骨部材３２Ｂに設けた外側エッジフック部３２Ｂ６及び内側エッジフック部３２Ｂ７にそれぞれ係合フック部３６Ａ１を係合させた後、取付ネジ（図示せず）を内殻骨部材３２Ｂに螺合することによって子扉３０に取り付けてある。見込みエッジ材３６Ａの室内側に位置する部分において親扉２０の見込み面に対向する部位には、親扉サブタイト材４０が装着してある。親扉サブタイト材４０は、親扉２０及び子扉３０が互いに戸先を対向させた際に先端部が親扉２０の見込み面においてエッジ材２４に当接するように構成してある。
【００３４】
見付けエッジ材３６Ｂは、取付基部３６Ｂ１と内方カバー部３６Ｂ２とを有している。取付基部３６Ｂ１は、外殻骨部材３２Ａの拝フック部３２Ａ５から角筒部３２Ａ４の外側壁部に沿って室内側に延在した後、角筒部３２Ａ４の室内に臨む見付け面に沿って子扉３０の吊り元側に屈曲した部分である。内方カバー部３６Ｂ２は、取付基部３６Ｂ１の屈曲端部から室内側に向けて屈曲して延在した後、親扉２０に向う方向に屈曲して延在したものである。図２に示すように、見付けエッジ材３６Ｂは、上枠１１の横タイト材１１Ｄよりも下方となる位置から下枠１２の横タイト材１２Ｄよりも上方となる位置までの間に設けてあり、これらの横タイト材１１Ｄ，１２Ｄ及び上枠１１、下枠１２に干渉することはない。内方カバー部３６Ｂ２の延在端部において室外に臨む見付け面には、親扉タイト材４１が装着してある。親扉タイト材４１は、縦枠１３に設けた縦タイト材１３Ｄと同様の構成を有したもので、親扉２０及び子扉３０が互いに戸先を対向させた際にメインタイト部４１ａの先端部が親扉２０の見付け面に当接するように構成してある。
【００３５】
子扉３０の戸先骨材３２には、上下両端部にそれぞれキャップ部材５０が装着してある。キャップ部材５０は、それぞれ戸先骨材３２の小口を覆うとともに、見付けエッジ材３６Ｂの端部を覆うもので、戸先骨材３２の上端部に装着されるものと下端部に装着されるものとが互いに対称となる構成を有している。このため、以下においては戸先骨材３２の下端部に装着するキャップ部材５０の説明を行い、上端部に装着するキャップ部材５０には同一の符号を付すこととする。なお、上端部に装着するキャップ部材５０は、下端部に装着するキャップ部材５０と上下が逆となるのはいうまでもない。
【００３６】
キャップ部材５０は、図３〜図１２に示すように、小口カバー部５１と、見付け壁部５２と、エッジカバー部５３とを樹脂によって一体に成形したものである。小口カバー部５１は、戸先骨材３２の小口端面及び見込みエッジ材３６Ａの下面を覆うことのできる大きさを有した略矩形の板状を成すものである。この小口カバー部５１の上面には、嵌合突出部５１ａが設けてある。嵌合突出部５１ａは、小口カバー部５１を戸先骨材３２の小口端面に合致させた際に内殻骨部材３２Ｂに設けた内殻基部３２Ｂ１、筒当接部３２Ｂ２及び支持壁部３２Ｂ３によって囲まれる空間（以下、内殻空間３２ＢＲという）に挿入され、かつ内殻基部３２Ｂ１、筒当接部３２Ｂ２及び支持壁部３２Ｂ３の内壁面に同時に当接することのできる外形形状を有した突出部である。なお、図中の符号５１ｂは、戸先骨材３２の内部に配設された図示せぬフランス落としの固定ロッドが挿通されるロッド挿通孔である。
【００３７】
見付け壁部５２は、小口カバー部５１の室内側に位置する縁部から上方に向けて延在した部分である。見付け壁部５２の延在寸法は、小口カバー部５１を戸先骨材３２の小口に当接させた際に見付けエッジ材３６Ｂの下端縁とほぼ同じ高さとなるように設定してある。見付け壁部５２と嵌合突出部５１ａとの間には、外周補強リブ５４Ａ及び内周補強リブ５４Ｂが設けてある。外周補強リブ５４Ａは、嵌合突出部５１ａにおいて子扉３０の戸先側となる部分から室内側に向けて直線上に延在して見付け壁部５２に接合したものである。内周補強リブ５４Ｂは、外周補強リブ５４Ａよりもわずかに子扉３０の吊り元側となる部位から室内側に向けて突出した第１リブ部５４Ｂ１と、第１リブ部５４Ｂ１の突出端部から吊り元側に向けてほぼ直角に屈曲した第２リブ部５４Ｂ２と、第２リブ部５４Ｂ２の屈曲端部から室内側に向けてほぼ直角に屈曲することにより見付け壁部５２に接合した第３リブ部５４Ｂ３とを有したものである。嵌合突出部５１ａと第２リブ部５４Ｂ２との間には、内殻骨部材３２Ｂの支持壁部３２Ｂ３を挿入することのできる隙間が確保してある。第３リブ部５４Ｂ３は、嵌合突出部５１ａを内殻空間３２ＢＲに挿入した際にスペーサ部３２Ｂ８に当接するように設けてある。
【００３８】
エッジカバー部５３は、見付け壁部５２の上端部から室内側に向けて突出したものである。エッジカバー部５３の室外側に位置する縁部は、子扉３０の室内側に配置した表面材３３よりも室外側に位置するように構成してある。図からも明らかなように、このエッジカバー部５３は、見付け壁部５２に対して子扉３０の戸先側に偏って設けてあり、小口カバー部５１を戸先骨材３２の小口端面に合致させた際に見付けエッジ材３６Ｂの下端面を覆うことが可能である。
【００３９】
図９、図１１及び図１２に示すように、エッジカバー部５３には、エッジ外装部５３ａ及び保持部５３ｂが設けてある。エッジ外装部５３ａは、エッジカバー部５３の室内側に位置する外周縁部から上方に向けて突出したものである。このエッジ外装部５３ａは、エッジカバー部５３を見付けエッジ材３６Ｂの下端面に合致させた際に内方カバー部３６Ｂ２の外表面を覆うことが可能である。エッジ外装部５３ａの吊り元側に位置する部分には、見付け壁部５２の上端部に設けた面材外装部５２ａが連続している。面材外装部５２ａは、見付け壁部５２から上方に向けて突出したもので、小口カバー部５１を戸先骨材３２の小口端面に合致させた際に見付け壁部５２よりも室内側にわずかに突出し、子扉３０の室内側に配設した表面材３３の見付け面を覆うことが可能である。
【００４０】
保持部５３ｂは、エッジカバー部５３の室外側に位置する縁部から下方に延在した部分である。保持部５３ｂの延在長さは、下枠１２に設けた横タイト材１２Ｄのメインタイト部１２Ｄｂよりも上方に位置し、サブタイト部１２Ｄｃにのみ対向するように設定してある。この保持部５３ｂには、室外側に位置する見付け面５３ｂ１に止水部材５５が保持してある。止水部材５５は、比較的板厚の大きな矩形板状を成すもので、その上端部を介して保持部５３ｂの見付け面５３ｂ１に取り付けてある。止水部材５５の下端部は、保持部５３ｂよりも下方に突出しており、室内に臨む見付け面５５ａが外部に露出した状態にある。この止水部材５５は、スポンジ等のように、加圧された場合に弾性的に圧縮される一方、加圧力を除去した場合にはほぼ元の形状に戻るように弾性材料によって成形したものである。図１２からも明らかなように、保持部５３ｂは、室内側に位置する部分が、見付け壁部５２の見付け面５２ｂよりも室内側に突出することにより、止水部材５５の取付強度が十分となる板厚を確保するようにしている。保持部５３ｂの室内側に突出する部分は、見付け壁部５２の見付け面５２ｂとの間に大きさ段差を生じないように、吊り元側に向かうに従って漸次突出量が減少している。
【００４１】
上述の構成を有するキャップ部材５０は、図６〜図９に示すように、外殻骨部材３２Ａの下端部及び表面材３３の対応する部位に予め収容部６０を構成し、収容部６０に見付け壁部５２を収容させた状態で戸先骨材３２の下端部に装着するようにしている。収容部６０は、外殻骨部材３２Ａにおける内方当接部３２Ａ３の下端部及び角筒部３２Ａ４に切欠６０ａを設けるとともに、室内側の表面材３３において対応する分に切欠６０ｂを設けることにより構成してある。すなわち、外殻骨部材３２Ａにおいて外殻基部３２Ａ１との連結部分から内方当接部３２Ａ３に切欠６０ａを設けると、内方当接部３２Ａ３とともに角筒部３２Ａ４が除去されるため、戸先骨材３２の内部に見付け壁部５２を収容することのできる収容部６０が確保されることになる。この場合、本実施の形態では、外殻骨部材３２Ａを樹脂によって成形するようにしているため、収容部６０のための切欠６０ａを容易に構成することが可能である。なお、本実施の形態では、見付け壁部５２と嵌合突出部５１ａとの間に外周補強リブ５４Ａ及び内周補強リブ５４Ｂが設けてあるため、図６に示すように、内殻骨部材３２Ｂの下端部に予めリブ用切欠６１を形成し、リブ用切欠６１に外周補強リブ５４Ａ及び内周補強リブ５４Ｂの第１リブ部５４Ｂ１を配置する必要がある。リブ用切欠６１は、内殻骨部材３２Ｂにおいて筒当接部３２Ｂ２の下端部に形成した切欠であり、下端に開口するように形成してある。
【００４２】
上記のようにして、収容部６０に見付け壁部５２を収容させた状態で戸先骨材３２の下端部に装着したキャップ部材５０によれば、見付け壁部５２の室内に臨む見付け面５２ｂを表面材３３の見付け面とほぼ同一の面上となるように配置することができる。また、キャップ部材５０に保持させた止水部材５５は、内方カバー部３６Ｂ２に装着した親扉タイト材４１及び見込みエッジ材３６Ａに装着した親扉サブタイト材４０と当接した状態となり、かつ室内に臨む見付け面５５ａが下枠１２の横タイト材１２Ｄにおいてメインタイト部１２Ｄｂに対向した位置に配置される。
【００４３】
従って、親扉２０及び子扉３０を共に閉じた状態においては、止水部材５５を介して子扉３０の親扉タイト材４１及び親扉サブタイト材４０が、下枠１２の横タイト材１２Ｄと連続するようになり、枠体１０との間の止水性を確保することができる。しかも、下枠１２に設けた横タイト材１２Ｄのメインタイト部１２Ｄｂに対向する部位、つまり親扉２０の室内に臨む表面材２２の見付け面、子扉３０の室内に臨む表面材３３の見付け面、キャップ部材５０において見付け壁部５２の室内に臨む見付け面５２ｂ（保持部５３ｂよりも下方となる部分）が同一の面上に配置される。これにより、親扉２０及び子扉３０と横タイト材１２Ｄのメインタイト部１２Ｄｂとの間に隙間が生じるおそれがなく、止水性の向上を図ることができる。さらに、横タイト材１２Ｄには何ら加工を施す必要がないため、取り扱い部品点数が増えることはなく、建具の製造作業が煩雑化したり、製造コストが増大するおそれもない。上述の作用効果は、戸先骨材３２の上端部に装着したキャップ部材５０と上枠１１との間についても同様に奏することになる。
【００４４】
なお、上述した実施の形態では、子扉３０の戸先骨材３２を樹脂によって成形するようにしているが、アルミニウム合金やスチール等の金属によって戸先骨材を成形するようにしても構わない。また、戸先骨材３２を外殻骨部材３２Ａと内殻骨部材３２Ｂとによって構成しているが、必ずしも２つの骨部材３２Ａ，３２Ｂを備えている必要はなく、詳細構成も実施のものに限らない。さらに、キャップ部材５０として小口カバー部５１、見付け壁部５２、エッジカバー部５３、嵌合突出部５１ａを有したものを例示しているが、その他の構成のキャップ部材を適用してももちろん良い。またさらに、キャップ部材５０において見付け壁部５２の見付け面５２ｂを表面材３３の見付け面と同一の面上に位置させるようにしているが、必ずしもキャップ部材の見付け面を表面材の見付け面と同一の面上に位置させる必要はない。加えて、親扉２０の左右方向に沿った寸法を子扉３０よりも大きく構成した建具を例示しているが、親扉２０の左右方向に沿った寸法を子扉３０と同じとなるように構成したり、子扉３０が大きくなるように構成しても構わない。
【符号の説明】
【００４５】
１０  枠体、１１  上枠、１１Ｄ，１２Ｄ  横タイト材、１１Ｄｂ，１２Ｄｂ  メインタイト部、１１Ｄｃ，１２Ｄｃ  サブタイト部、１２  下枠、２０  親扉、２２  表面材、３０  子扉、３２  戸先骨材、３２Ａ  外殻骨部材、３２Ａ１  外殻基部、３２Ａ２  外方当接部、３２Ａ２ａ  見付け面、３２Ａ３  内方当接部、３２Ａ３ａ  見付け面、３２Ａ４  角筒部、３２Ａ５  拝フック部、３２Ａ５ａ  鉤部、３２Ｂ  内殻骨部材、３２Ｂ１  内殻基部、３２Ｂ２  筒当接部、３２Ｂ３  支持壁部、３２Ｂ８  スペーサ部、３２ＢＲ  内殻空間、３３  表面材、３６  エッジ材、３６Ａ  見込みエッジ材、３６Ａ１  係合フック部、３６Ｂ  見付けエッジ材、３６Ｂ１  取付基部、３６Ｂ２  内方カバー部、４０  親扉サブタイト材、４１  親扉タイト材、４１ａ  メインタイト部、５０  キャップ部材、５１  小口カバー部、５１ａ  嵌合突出部、５２  見付け壁部、５２ａ  面材外装部、５２ｂ  見付け面、５３  エッジカバー部、５３ａ  エッジ外装部、５３ｂ  保持部、５３ｂ１  見付け面、５５  止水部材、６０  収容部、６０ａ  切欠、６０ｂ  切欠
【図１】
0006576263.tif 000002
【図２】
0006576263.tif 000003
【図３】
0006576263.tif 000004
【図４】
0006576263.tif 000005
【図５】
0006576263.tif 000006
【図６】
0006576263.tif 000007
【図７】
0006576263.tif 000008
【図８】
0006576263.tif 000009
【図９】
0006576263.tif 000010
【図１０】
0006576263.tif 000011
【図１１】
0006576263.tif 000012
【図１２】
0006576263.tif 000013